(57)【特許請求の範囲】
【請求項１】
大型什器を壁面若しくは他の大型什器の背面に近接して設置可能であり、保守・点検時に前方へ移動させることが可能な大型什器の搭載装置であって、前記大型什器を搭載する架台の奥行幅と同程度の長さを有する複数の固定レールを、床面に前記壁面若しくは他の大型什器の背面と直交する方向に敷設するとともに、奥行幅が前記架台の奥行幅の略半分であり、横幅が前記架台の横幅と略一致したユニット化された台車を前記架台の下面の後部に固定し、該台車の車輪を前記固定レール上で移動可能且つ前記架台の前端部に設けたキャスターを前記床面上で移動可能となすとともに、前記架台の少なくとも前面側には固定レールも覆い隠すことができるように、着脱自在なカバーを取付けたことを特徴とする大型什器の搭載装置。
【請求項２】
前記台車の車輪を電動モータによって回転駆動してなる請求項１記載の大型什器の搭載装置。
【請求項３】
前記固定レールの前端に延長レールを着脱自在に連結し、該延長レールを固定レールの前方の床面に直線状に敷設可能としてなる請求項１又は２記載の大型什器の搭載装置。
【請求項４】
前記架台の前端部下面であって前記固定レールの直上に対応する位置に、上下高さ調節可能にストッパーボルトを垂設し、ストッパーボルトが固定レール又は延長レールの直上に位置する場合にはその下端をレール上に圧接し、ストッパーボルトが床面上に位置する場合にはその下端を床面上に圧接して移動規制してなる請求項１又は２又は３記載の大型什器の搭載装置。
【発明の詳細な説明】
【０００１】
【発明の属する技術分野】
本発明は、大型什器の搭載装置に係わり、更に詳しくは大型空調機、大型陳列什器又は大型家具等の大型什器を壁面若しくは他の大型什器の背面に近接して設置可能であり、保守・点検時に前方へ移動させることが可能な搭載装置に関する。
【０００２】
【従来の技術】
従来、壁面に近接して設置した大型空調機、大型陳列什器又は大型家具等の大型什器を保守・点検する場合、設置位置は変えずに側面等の適所に設けた点検パネルを開放して行うのが通例である。しかし、大型什器の背後や底部に集中的に配備することが多い機構部、配管部及び電気系統の保守・点検又は大型什器の設置床面の清掃等を行うことは容易ではなく、大型什器を前方へ移動できればその作業が極めて容易にできることは想像に難くない。
【０００３】
ところが、この種の大型什器は、一度設置した後に移動させることを前提として設計されたものではなく、特にオーバーホール時にはその場所で筐体を含めて分解若しくはクレーンやフォークリフト等の起重機を使用して移動させた後に要部のみを分解するといった何れにおいても手間のかかる作業若しくは困難な作業が必要であった。
【０００４】
尚、予め大型什器の下端の奥行方向前後に車輪を設け、壁面と直交する方向に車輪を転動案内するためのレールを床面に敷設しておくことも考慮されるが、大型什器の移動量を見越してレールの長さを設定すると、大型什器を壁面に近接した所定位置に設置した場合には、レールの前部が大型什器の前方へ常時露出した状態となり、視覚的に見苦しいばかりでなく、通路においては通行の邪魔になるといった問題が生じるので好ましくない。また、大型什器の下端に単に車輪を設け、床面上を直接車輪が転動するようにした場合には、大型什器の重量によって床面を損傷させる恐れもあり、また人力で移動させるには多数人で行わなければ動かないといった問題もある。
【０００５】
【発明が解決しようとする課題】
本発明が前述の状況に鑑み、解決しようとするところは、壁面に近接して設置する使用形式若しくは背面合わせで近接して設置する使用形式の大型空調機、大型陳列什器又は大型家具等の大型什器を、保守・点検時又はオーバーホール時及び大型什器の設置床面の清掃時に簡単に前方へ移動でき且つ床面の損傷を最小限に抑制できるとともに、通常設置状態では大型什器の前方空間に何ら突出物を設けないことにより視覚的に優れ、また前方空間の通行若しくは利用に支障のない大型什器の搭載装置を提供する点にある。
【０００６】
【課題を解決するための手段】
前述の課題解決のために、本発明は、大型什器を壁面若しくは他の大型什器の背面に近接して設置可能であり、保守・点検時に前方へ移動させることが可能な大型什器の搭載装置であって、前記大型什器を搭載する架台の奥行幅と同程度の長さを有する複数の固定レールを、床面に前記壁面若しくは他の大型什器の背面と直交する方向に敷設するとともに、奥行幅が前記架台の奥行幅の略半分であり、横幅が前記架台の横幅と略一致したユニット化された台車を前記架台の下面の後部に固定し、該台車の車輪を前記固定レール上で移動可能且つ前記架台の前端部に設けたキャスターを前記床面上で移動可能となすとともに、前記架台の少なくとも前面側には固定レールも覆い隠すことができるように、着脱自在なカバーを取付けた大型什器の搭載装置を構成した。
【０００７】
【発明の実施の形態】
本発明の大型什器の搭載装置は、大型什器を壁面若しくは他の大型什器の背面に近接して設置可能であり、保守・点検時に前方へ移動させることが可能な大型什器の搭載装置であって、前記大型什器を搭載する架台の奥行幅と同程度の長さを有する複数の固定レールを、床面に前記壁面若しくは他の大型什器の背面と直交する方向に敷設するとともに、前記架台の後部に設けた台車の車輪を前記固定レール上で移動可能且つ前記架台の前端部に設けたキャスターを前記床面上で移動可能となしたものである。ここで、大型什器の重量の大部分が台車の車輪で支持されるように、台車の奥行方向の前後端部に車輪を設け、その前方の車輪の位置を架台の奥行幅の中央部に近づけて設定することにより、架台前端部のキャスターにかかる荷重が極めて少なくなり、床面上をキャスターが転動しても床面を損傷する恐れがなくなる。この場合、架台の移動距離は、その奥行幅の略半分になる。
【０００８】
また、本発明は、前記台車の車輪を電動モータによって回転駆動することにより、大重量の大型什器を容易に前後方向、即ち壁面若しくは他の大型什器の背面から離れる方向と接近する方向へ極めて容易に移動させ得るのである。
【０００９】
また、本発明は、前記固定レールの前端に延長レールを着脱自在に連結し、該延長レールを固定レールの前方の床面に直線状に敷設可能としてなることにより、移動距離を任意に長くすることができ、大型什器を含めて搭載装置の全体を通常設置位置から完全に前方へ退避させて、大型什器のオーバーホールや設置床面の清掃等を容易に行うことが可能となる。
【００１０】
更に、本発明は、前記架台の前端部下面であって前記固定レールの直上に対応する位置に、上下高さ調節可能にストッパーボルトを垂設し、ストッパーボルトが固定レール又は延長レールの直上に位置する場合にはその下端をレール上に圧接し、ストッパーボルトが床面上に位置する場合にはその下端を床面上に圧接して移動規制することにより、通常設置状態、保守・点検時及びオーバーホール時等において不意に移動することがなく安全性の向上が図れ、またキャスターにかかる荷重が低減若しくは除去されることより、キャスターの耐久性の向上が図れるのである。
【００１１】
【実施例】
次に添付図面に示した実施例に基づき更に本発明の詳細を説明する。図１〜図４は本発明の大型什器の搭載装置の概略を示し、図５〜図１２は各部の詳細を示し、図中Ａは大型什器、Ｂは大型什器Ａの搭載装置、Ｃは壁面、Ｄは床面をそれぞれ示している。
【００１２】
本発明の搭載装置Ｂは、大型什器Ａを壁面Ｃに近接して設置可能であり、保守・点検時に前方へ移動させることが可能なものであって、前記大型什器Ａを上面に搭載することが可能な平面寸法を有する架台１の奥行幅と同程度の長さを有する複数の固定レール２を、床面Ｄに前記壁面Ｃと直交する方向に敷設するとともに、前記架台１の後部に設けた台車３の車輪４，…を前記固定レール２上で移動可能且つ前記架台１の前端部に設けたキャスター５，…を前記床面Ｄ上で移動可能となした基本構造を有する。勿論、前記壁面Ｃが他の大型什器Ａの背面であっても何ら差し支えないが、本実施例では壁面Ｃを前提として説明する。
【００１３】
前記架台１は、その上面に大型什器Ａを載置固定できる平面寸法を有し、本実施例では、各一対の縦枠と横枠とで平面視長方形に枠組みし且つ前後一対の横枠間に複数の縦桟を渡設して形成した上フレーム６と下フレーム７を複数の垂直な保高杆８，…で連結し、内部に収容部を有するものを例示しているが、本発明においてはこの架台１の構造は特定する必要がない。
【００１４】
前記台車３は、ユニット化されて前記架台１の下面の後部に固定できるものが架台１の奥行幅を変えても使用できるので好ましく、本実施例では断面略コ字形の一対の横部材９，９をその凹溝を対向させて配設するとともに、両横部材９，９間に断面略コ字形の縦部材１０，…を両端と中間の適宜位置に固着し、更に前記固定レール２の敷設位置と対応させて一対の断面略コ字形の取付部材１１，１１をその凹溝を逆向きにして前記縦部材１０と平行に並設し、そして各対の取付部材１１，１１の前後端部に回転軸１２，１２を貫通させるとともに、一対の取付部材１１，１１の間であって前記回転軸１２に車輪４を取付けたものである。また、前記横部材９，９間の中央部に渡設したモータ取付部材１３に、電動モータ１４を取付けるとともに、該電動モータ１４の回転力を前記回転軸１２に歯車１５，１５や他のプーリとベルト等によって伝達し、車輪４を回転駆動して自走できるようにしている。尚、本実施例の台車３の奥行幅は、前記架台１の奥行幅の略半分であり、横幅は前記架台１の横幅と一致している。
【００１５】
前記固定レール２は、前記架台１の奥行幅と同程度の長さを有し、前記床面Ｄに壁面Ｃの近くから該壁面Ｃと直交する方向に複数本を平行に敷設し、前記台車３の車輪４，…を転動案内するのである。該固定レール２の構造は、図５に示すように、中央に前記車輪４を載置する突条部１６を有し、該突条部１６の両側に間隔を隔てて断面倒Ｌ字形の保護部１７，１７を立設したものである。また、前記台車３には、車輪４が固定レール２の突条部１６から離れた際に一方の保護部１７に係止可能な転倒防止具１８が取付けられ、搭載装置Ｂの転倒を防止している。
【００１６】
また、前記架台１の前端部下面には、前記固定レール２とは位置をずらせて複数のキャスター５，…が下設されており、該キャスター５は直接床面Ｄの上を転動するように設定されている。
【００１７】
そして、前記架台１の前端部下面であって前記固定レール２の直上に対応する位置に、上下高さ調節可能にストッパーボルト１９を垂設し、ストッパーボルト１９が固定レール２の直上に位置する場合にはその下端を突条部１６に圧接し、搭載装置Ｂを前方へ移動させてストッパーボルト１９が床面Ｄ上に位置する場合にはその下端を床面Ｄ上に圧接して移動規制するのである。具体的には、前記架台１の下フレーム７の下面に台座２０を突設し、該台座２０に固着したナット２１にストッパーボルト１９の螺軸を螺合し、ストッパーボルト１９の頭部２２を下端圧接部となしている。
【００１８】
また、前記架台１の少なくとも前面側には、図１及び図６に示すように、前記台車３、キャスター５及びストッパーボルト１９は勿論、固定レール２も覆い隠すことができるように、着脱自在なカバー２３を取付けている。
【００１９】
更に、前記固定レール２の前端には、図８に示すように、車輪４の強制的な移動規制のためと、固定レール２の端面を覆うために、車輪ストッパー２４を着脱自在に取付けている。この車輪ストッパー２４は、前板２５と両側板２６，２６とで平面視コ字形に形成したもので、前板２５は固定レール２の前端面を覆い得る形状寸法であり、両側板２６，２６は固定レール２の保護部１７，１７の外側面に重合し、該側板２６に開口した通孔２７を通したネジ２８を保護部１７の外側面に形成した螺孔２９に螺合することによって取付けてある。尚、前記固定レール２の突条部１６の前端面には後述の延長レール３０を連結するための連結穴３１を形成している。
【００２０】
本発明の搭載装置Ｂは、図１及び図１３(a) に示すような壁面Ｃに近接した通常設置位置にあり、その上面に大型什器Ａが搭載されて使用されている。そして、通常の大型什器Ａの保守・点検時には、図４及び図１３(b) に示すように搭載装置Ｂを前方へ移動させて、大型什器Ａを壁面Ｃから離すのである。この場合の搭載装置Ｂの最大移動距離は、前記台車３の前方の車輪４が固定レール２の前端に取付けた車輪ストッパー２４に接触するまでの長さであり、図示した実施例では架台１の奥行幅の略半分である。それから、搭載装置Ｂを更に前方へ移動させて大型什器Ａのオーバーホールや通常設置床面Ｄの清掃時には、図９及び図１３(c) に示すように、前記固定レール２の前端に延長レール３０を直線状に連結し、前記台車３を延長レール３０の上まで移動させることによって、固定レール２の全長、即ち通常設置床面Ｄを露出させることができるとともに、壁面Ｃと大型什器Ａとの間にオーバーホールに必要な十分な間隔が形成されるのである。
【００２１】
前記延長レール３０の長さは、少なくとも前記台車３がその上面に完全に乗る程度は必要であるが、それ以上の長さは任意に設定可能である。そして、固定レール２に延長レール３０が連結されている状態で、搭載装置Ｂを前方へ移動させ、その途中で停止させて保守・点検やオーバーホールを行うことも可能であり、その場合に前記ストッパーボルト１９が延長レール３０の直上に位置していれば、ストッパーボルト１９を回転させて下げて、その下端の頭部２２を延長レール３０に圧接して移動規制することができ、また搭載装置Ｂを延長レール３０の許容限度まで前方へ移動させた状態、あるいはストッパーボルト１９の下方に床面Ｄが位置している状態で、保守・点検やオーバーホールを行う場合には、ストッパーボルト１９の頭部２２を床面Ｄに圧接して移動規制するのである。
【００２２】
前記延長レール３０は、図９に示すように、前記固定レール２と同一の断面形状を有し、即ち中央部に突条部３２とその両側に保護部３３，３３を有し、連結部においては、該保護部３３の外側に固着し、先端を突条部３２及び保護部３３よりも突出させた断面倒Ｌ字形の連結板３４を設け且つ該連結板３４の突出側面には通孔３５を形成するとともに、前記突条部３２の端面には前記固定レール２の連結穴３１に嵌入する連結棒３６を突設している。そして、前記固定レール２に延長レール３０を連結するには、前記連結板３４，３４で固定レール２の両保護部１７，１７を挟み込むと同時に連結棒３６を連結穴３１に嵌入し、その状態で通孔３５から挿入したネジ３７を前記螺孔２９に螺合して固定するのである。ここで、当該ネジ３７は、前記ネジ２８を共用することが好ましい。
【００２３】
また、前記固定レール２に延長レール３０を連結する他の構造として、図１０に示したものは、固定レール２の両保護部１７，１７の外側面端部にフック片３８，３８を固着し、延長レール３０の両保護部３３，３３の外側面端部に、前記フック片３８に係止するリング片３９を操作板４０の回転中心から偏心した位置に枢着した締結具４１を取付けて、前記同様に突条部３２の端面に突設した連結棒３６を固定レール２の連結穴３１に嵌入した状態で、リング片３９をフック片３８に係止した後、操作板４０を回転させて両レールを引き付けて連結するのである。
【００２４】
本実施例の搭載装置Ｂは、前記電動モータ１４によって駆動されて自走するが、その移動、停止の操作を手動で行うことも可能ではあるが、操作の容易性から移動は手動で行い、停止は自動的に行うようにすることが好ましい。それには、固定レール２のみを用いて通常の保守・点検する時に搭載装置Ｂを自動停止させるために、図３及び図１１に示す如く台車３の適宜位置にリミットスイッチ４１を下方へ突設し、搭載装置Ｂが前方の所定位置まで移動した際に、該リミットスイッチ４１を作動させる突起４２を床面Ｄの所定位置に突設しておき、リミットスイッチ４１が突起４２で作動した際に生じる停止信号によって前記電動モータ１４の回転を停止させる。また、固定レール２に延長レール３０を連結し、搭載装置Ｂを固定レール２よりも前方へ移動させて大型什器Ａをオーバーホールする時に該搭載装置Ｂを自動停止させるために、図３及び図１２に示す如く前記取付部材１１，１１の間に前進用リミットスイッチ４３を下方へ突設し、台車３が延長レール３０の上まで移動した際に、該前進用リミットスイッチ４３を作動させる突起４４を延長レール３０の突条部３２と保護部３３間に設けておき、前進用リミットスイッチ４３が突起４４で作動した際に生じる停止信号によって前記電動モータ１４の回転を停止させる。また、保守・点検又はオーバーホールが終了して搭載装置Ｂを通常設置位置まで後退させる場合にも、所定位置で自動的に停止するように、図３に示す如く前記前進用リミットスイッチ４３よりも後方側に後進用リミットスイッチ４５を設けるとともに、固定レール２の後部適所に前記突起４４と同様な突起を設けている。
【００２５】
【発明の効果】
以上にしてなる本発明の大型什器の搭載装置によれば、壁面に近接して設置する使用形式若しくは背面合わせで近接して設置する使用形式の大型空調機、大型陳列什器又は大型家具等の大型什器を、保守・点検時に簡単に前方へ移動でき且つ床面の損傷を最小限に抑制できるとともに、通常設置状態では大型什器の前方空間に固定レールが露出しないので、視覚的に優れ、また前方空間の通行若しくは利用に全く支障がないのである。また、奥行幅が前記架台の奥行幅の略半分であり、横幅が前記架台の横幅と略一致したユニット化された台車を前記架台の下面の後部に固定したので、架台の奥行幅を変えてもユニット化された台車を使用できる。更に、固定レールは大型什器を搭載する架台の奥行幅と同程度の長さを有し、前記架台の少なくとも前面側には着脱自在なカバーを取付けたので、固定レールを覆い隠すことができる。
【００２６】
前記台車の車輪を電動モータによって回転駆動することにより、大重量の大型什器を極めて容易に前後方向に移動させることができ、大型什器の保守・点検が最小人数で行うことができる。
【００２７】
前記固定レールの前端に延長レールを着脱自在に連結し、該延長レールを固定レールの前方の床面に直線状に敷設可能としてなることにより、移動距離を任意に長くすることができ、大型什器を含めて搭載装置の全体を通常設置位置から完全に前方へ退避させて、大型什器のオーバーホールや設置床面の清掃等を容易に行うことができる。
【００２８】
前記架台の前端部下面であって前記固定レールの直上に対応する位置に、上下高さ調節可能にストッパーボルトを垂設し、ストッパーボルトが固定レール又は延長レールの直上に位置する場合にはその下端をレール上に圧接し、ストッパーボルトが床面上に位置する場合にはその下端を床面上に圧接して移動規制することにより、通常設置状態、保守・点検時及びオーバーホール時等において不意に移動することがなく安全性の向上が図れ、またキャスターにかかる荷重が低減若しくは除去されてキャスターの耐久性の向上が図れる。
【図面の簡単な説明】
【図１】本発明の大型什器の搭載装置を示す簡略側面図である。
【図２】同じく簡略正面図である。
【図３】同じく架台を省略した簡略平面図である。
【図４】同じく固定レールと搭載装置との関係を示す省略平面図である。
【図５】固定レールと台車の車輪との関係を示す拡大断面図である。
【図６】搭載装置の前部の拡大縦断側面図である。
【図７】搭載装置の前部の部分拡大正面図である。
【図８】固定レールの車輪ストッパーを示し、(a) は固定レールの前端に車輪ストッパーを取付けた状態の部分斜視図、(b) は分解状態の部分斜視図である。
【図９】固定レールと延長レールとを連結する構造の一例を示す部分斜視図である。
【図１０】同じく固定レールと延長レールとを連結する構造の二例を示す部分斜視図である。
【図１１】保守・点検時における搭載装置の自動停止のためのリミットスイッチと突起との関係を示す部分拡大断面図である。
【図１２】オーバーホール時における搭載装置の自動停止のためのリミットスイッチと突起との関係を示す部分拡大断面図である。
【図１３】本発明の大型什器の搭載装置の使用態様を示し、(a) は通常設置状態、(b) は保守・点検状態、(c) はオーバーホール状態をそれぞれ示す説明図である。
【符号の説明】
Ａ  大型什器              Ｂ  搭載装置
Ｃ  壁面                  Ｄ  床面
１  架台                  ２  固定レール
３  台車                  ４  車輪
５  キャスター            ６  上フレーム
７  下フレーム            ８  保高杆
９  横部材                １０  縦部材
１１  取付部材            １２  回転軸
１３  モータ取付部材      １４  電動モータ
１５  歯車                １６  突条部
１７  保護部              １８  転倒防止具
１９  ストッパーボルト    ２０  台座
２１  ナット              ２２  頭部
２３  カバー              ２４  車輪ストッパー
２５  前板                ２６  側板
２７  通孔                ２８  ネジ
２９  螺孔                ３０  延長レール
３１  連結穴              ３２  突条部
３３  保護部              ３４  連結板
３５  通孔                ３６  連結棒
３７  ネジ                ３８  フック片
３９  リング片            ４０  操作板
４１  リミットスイッチ    ４２  突起
４３  前進用リミットスイッチ  ４４  突起
４５  後進用リミットスイッチ
【図１】
0003541545.tif 000002
【図２】
0003541545.tif 000003
【図３】
0003541545.tif 000004
【図４】
0003541545.tif 000005
【図５】
0003541545.tif 000006
【図６】
0003541545.tif 000007
【図７】
0003541545.tif 000008
【図８】
0003541545.tif 000009
【図９】
0003541545.tif 000010
【図１０】
0003541545.tif 000011
【図１１】
0003541545.tif 000012
【図１２】
0003541545.tif 000013
【図１３】
0003541545.tif 000014